(57)【要約】メインボディーと、メインボディー上に開閉できるように設置されるサブボディーを備える自動及び手動兼用折り畳み型携帯用無線端末機のＤＣモータを利用して、フォルダー開閉の誤動作を防止するための回路及び方法を開示する。回路において、モータは、サブボディーを自動開閉するための回転力を提供し、モータ駆動部は、モータ駆動方向制御信号によってモータを駆動させ、逆起電力防止部は、モータの両端を自動モードであるかまたは手動モードであるかによって開放または短絡させてモータの逆起電力を防止し、モータ電源制御部は、モータへの駆動電源電圧の供給を制御する。フォルダーを開閉させる方法において、自動フォルダーキーが押されたか否かを判断する。
2004510384.tif 000002
【特許請求の範囲】
【請求項１】
メインボディーと、前記メインボディー上に開閉できるように設置されるサブボディーを備える自動及び手動兼用折り畳み型携帯用無線端末機において、
前記サブボディーを自動開閉するための回転力を提供するモータと、
モータ駆動方向制御信号によって前記モータを駆動させるモータ駆動部と、
前記モータの両端を自動または手動モードによって開放または短絡させて前記モータの逆起電力を防止する逆起電力防止部と、
前記モータの駆動電源を制御するモータ電源制御部と
からなることを特徴とする回路。
【請求項２】
前記逆起電力防止部は、手動モードのとき前記モータの両端を短絡させることを特徴とする請求項１記載の回路。
【請求項３】
前記逆起電力防止部は、自動モードのとき前記モータの両端を開放させることを特徴とする請求項１記載の回路。
【請求項４】
前記逆起電力防止部は、フォトＭＯＳリレーを含むことを特徴とする請求項１記載の回路。
【請求項５】
前記モータ電源制御部は、所定の電源電圧を供給するバッテリと、前記バッテリから受け取った電源電圧を整流して前記モータ駆動部及び前記逆起電力防止部へ供給する整流器とからなることを特徴とする請求項１記載の回路。
【請求項６】
前記逆起電力防止部は、手動モードのときオンされて前記モータの両端を接地と連結させて短絡させ、自動モードのときオフされて前記モータの両端を開放させるトランジスタを前記モータの両端にそれぞれ備えることを特徴とする請求項１記載の回路。
【請求項７】
自動及び手動兼用折り畳み型携帯用無線端末機で自動モードのときフォルダーを開閉する方法において、
自動フォルダー動作キーが押されたか否かを判断するステップと、
前記自動フォルダーの動作キーの入力を受信すると、モータの両端を開放するように整流器をオンさせるステップと、
前記モータの両端の開放が完了する時点で前記モータを駆動させるステップとからなることを特徴とする方法。
【発明の詳細な説明】
【０００１】
【発明の属する技術分野】
本発明は、自動及び手動兼用折り畳み型携帯用無線端末機に関し、特に、自動モードまたは手動モードにかかわらずメインボディー上でのサブボディーの誤った開閉動作を防止するための回路及び方法に関する。
【０００２】
【従来の技術】
通常、携帯用無線端末機は、バー型（Ｂａｒ Ｔｙｐｅ）端末機と折り畳み型（ｆｏｌｄａｂｌｅ）端末機に区分される。前記バー型端末機は、キーパッド部がメインボディーから露出しているので、次第にその使用が減少している。これに対して、前記折り畳み型端末機は、キーパッド部を保護するためにメインボディー（ｍａｉｎ ｂｏｄｙ）上にサブボディー（ｓｕｂ−ｂｏｄｙ）が開閉できるように設けられ、現在多様な形態が開発されている。通常、折り畳み型端末機は、メインボディーに設けられたキーパッドを保護し、送話音を集めるフリップカバーがサブボディーとしての役割をするフリップ型端末機と、フリップカバーをメインボディー上の上側に開放することができるフリップアップ型（ｆｌｉｐ ｕｐ−ｔｙｐｅ）端末機と、サブボディー上にＬＣＤモジュール（Ｌｉｑｕｉｄ Ｃｒｙｓｔａｌ Ｄｉｓｐｌａｙ Ｍｏｄｕｌｅ）を備えるフォルダー型（Ｆｏｌｄｅｒ−ｔｙｐｅ）端末機が広く使用されている。
【０００３】
最近、韓国特許出願第１９９９−４９２２８号に開示されたように、端末機使用者の多様な需要を充足させるために、自動及び手動にサブボディーを開閉することができる自動及び手動兼用折り畳み型端末機が研究及び開発されている。しかし、このような自動及び手動兼用折り畳み型端末機は、自動モード、手動モード、及び電源オフの場合もフォルダー開閉のときに安定した動作を行わなければならない。しかし、ＤＣモータを使用する場合、ＤＣモータで発生する逆起電力によってメインボディー上でサブボディーが正確に開閉しない誤動作が発生する問題点がある。また、従来の自動及び手動兼用折り畳み型携帯用無線端末機は、自動モードのときモータに電源が供給される時点とモータの回転方向制御時点とのタイミングが合わない場合、サブボディーを正確に開閉させることができない誤動作が発生する。
【０００４】
【発明が解決しようとする課題】
従って、本発明の目的は、自動及び手動兼用折り畳み型携帯用無線端末機で自動モードまたは手動モードに関係なく、サブボディーを正確に開閉させることができる回路を提供することにある。
【０００５】
本発明の他の目的は、自動及び手動兼用折り畳み型携帯用無線端末機でバッテリ電源がオフ状態であってもサブボディーを正確に開閉させることができる回路を提供することにある。
【０００６】
本発明のさらに他の目的は、自動及び手動兼用折り畳み型携帯用無線端末機で自動モードと手動モードとの相互転換のとき、正常にフォルダーを開閉させることができる回路を提供することにある。
【０００７】
本発明のさらに他の目的は、自動及び手動兼用折り畳み型携帯用無線端末機で、自動または手動モードのときモータが発生する逆起電力によるフォルダーの誤った開閉動作を防止するための回路を提供することにある。
【０００８】
本発明のさらに他の目的は、自動及び手動兼用折り畳み型携帯用無線端末機で自動モードのときサブボディーを正確に開閉させることができる方法を提供することにある。
【０００９】
【課題を解決するための手段】
前記のような目的を達成するために、本発明は、メインボディーと、前記メインボディー上に開閉できるように設置されるサブボディーを備える自動及び手動兼用折り畳み型携帯用無線端末機において、前記サブボディーを自動開閉するための回転力を提供するモータと、モータ駆動方向制御信号によって前記モータを駆動させるモータ駆動部と、前記モータの両端を自動または手動モードによって開放または短絡させて前記モータの逆起電力を防止する逆起電力防止部と、前記モータの駆動電源を制御するモータ電源制御部とからなることを特徴とする。
【００１０】
【発明の実施の形態】
以下、本発明に係る好適な実施形態について添付図を参照しつつ詳細に説明する。下記の説明において、本発明の要旨のみを明確にする目的で、関連した公知機能または構成に関する具体的な説明は省略する。
【００１１】
本発明は、メインボディー上で開閉可能であるように設けられるサブボディーが自動及び手動モード兼用で使用することができるように構成される携帯用端末機に適用される。本発明の実施形態である、フォルダー型携帯用端末機に適用された開閉装置を説明する。
【００１２】
図１Ａは、本発明が適用される携帯用無線端末機のサブボディーが閉じた状態を示す斜視図であり、図１Ｂは、図１Ａに示した携帯用無線端末機のサブボディーがメインボディー上で開放された状態を示す斜視図である。図１Ａ及び図１Ｂを参照すると、前記携帯用無線端末機１００は、メインボディー１１０と、前記メインボディー１１０上で使用者の選択によって自動または手動モードで開閉可能であるように設けられるサブボディー１２０と、前記サブボディー１２０を開閉させるための開閉装置１０とから構成される。前記メインボディー１１０は、上部ケーシングフレーム１１１と下部ケーシングフレーム１１２とからなり、アンテナ装置１３０は、前記メインボディー１１０の最上端の一側に備えられる。また、イヤーピース部１４０は、前記メインボディー１１０に接する前記サブボディー１２０の面上に位置し、ＬＣＤモジュール１５０は、前記イヤーピース部１４０の下側にディスプレイとして位置する。前記メインボディー１１０上には、キーパッド部１６０とマイクロフォン１７０が順番に位置する。また、前記メインボディー１１０の一側面上には、前記サブボディー１２０をメインボディー１１０上で自動的に開閉させるための自動フォルダー開閉キー１８０が備えられている。このとき、ヒンジモジュールは、前記メインボディー１１０をサブボディー１２０に連結させるのに使用される。本発明では、ヒンジアームとしての役割を果たすとともに、自動または手動モードで前記サブボディー１２０を開閉させることができるように構成されたフォルダーの開閉装置１０が使用される。
【００１３】
図２は、本発明の実施形態による自動及び手動兼用折り畳み型携帯用無線端末機でのフォルダーの開閉装置のブロック構成図である。図２を参照すると、ＣＰＵ（Ｃｅｎｔｒａｌ Ｐｒｏｃｅｓｓｉｎｇ Ｕｎｉｔ）２００は、キー入力部１６０及び１８０から受信したキーデータによってフォルダーの開閉装置１０に制御信号を供給して前記フォルダーの開閉装置１０を制御する。前記フォルダーの開閉装置１０は、モータ駆動部２１０、モータ電源制御部２２０、逆起電力防止部２３０、及びモータ２４０で構成される。前記モータ駆動部２１０は、前記ＣＰＵ２００から受信したモータ駆動制御信号によって決定されたモータ２４０の回転方向にモータ２４０を駆動させる。前記逆起電力防止部２３０は、自動モードであるか、または手動モードであるかによってモータ２４０の両端を開放（ｏｐｅｎ）または短絡（ｓｈｏｒｔ）させてモータ２４０が発生する逆起電力を除去する。モータ電源制御部２２０は、ＣＰＵ２００から受信した電源制御信号によってモータ駆動部２１０へ供給される電源を制御する。モータ２４０は、モータ駆動部２１０から受信したモータ駆動制御信号によって決定された方向に回転してメインボディー１１０上から／へのサブボディー１２０の開閉動作を遂行する。
【００１４】
図３は、図２に示したフォルダーの開閉装置の詳細な回路図である。図１Ａ、図１Ｂ、図２、及び図３を参照すると、モータ駆動部２１０は、トランジスタＴＲ１乃至ＴＲ６及び抵抗Ｒ１乃至Ｒ７で構成される。モータ駆動部２１０は、第１トランジスタＴＲ１を通じてＣＰＵ２００からの第１モータ駆動制御信号ＭＯＴＯＲ＋を受信するのと同時に、第４トランジスタＴＲ４を通じてＣＰＵ２００からの第２モータ駆動制御信号ＭＯＴＯＲ−を受信する。そうすると、モータ駆動部２１０は、ＭＯＴＯＲ＋及びＭＯＴＯＲ−に基づいてモータ２４０の回転方向を決定し、モータ電源制御部２２０からモータ駆動電源ＭＯＴＯＲ＿ＶＭを受け取ることによって、前記決定された回転方向にモータ２４０を駆動させる。
【００１５】
バッテリ２２１及び整流器２２２を含むモータ電源制御部２２０は、ＣＰＵ２００から受信した電源制御信号によって整流器２２２をオン／オフ状態にして、モータ駆動部２１０及び逆起電力防止部２３０へ／からバッテリ２２１から供給される電源電圧を供給／遮断する。すなわち、前記モータ電源制御部２２０は、ＣＰＵ２００から整流器２２２をオフ状態にする制御信号を受信し、モータ駆動部２１０及び逆起電力防止部２３０からの電源電圧を遮断させる。また、モータ電源制御部２２０は、バッテリ２２１がオフ状態の場合、モータ駆動部２１０または逆起電力防止部２３０へ電源を供給しない。一方、自動モードのとき、モータ電源制御部２２０は、ＣＰＵ２００から整流器２２２をオン状態にする制御信号を受信してバッテリ２２１が発生した電源電圧をモータ駆動部２１０及び逆起電力防止部２３０へ供給する。
【００１６】
前記逆起電力防止部２３０は、モータ２４０の両方の端子Ａ及びＢに連結されている。前記逆起電力防止部２３０は、手動モードでモータ２４０の両方の端子Ａ及びＢを短絡させた後、自動モードで開放させる。前記逆起電力防止部２３０は、図４に示すようなフォトＭＯＳリレー（ＰＨＯＴＯ ＭＯＳ ＲＥＬＡＹ）を利用して具現される。前記フォトＭＯＳリレーは、モータ２４０の両方の端子Ａ及びＢに連結されたチャンネルピン＃３及び＃４を有する。前記モータ２４０の電源がオフ状態である場合、前記フォトＭＯＳリレーは、スイッチオン状態で８Ωの抵抗値を有する。一方、前記モータ２４０の電源がオン状態である場合、ピン＃１及び＃２を通じて駆動電流が流れ、これにより、チャンネル＃３及び＃４がオフ状態となる。逆起電力防止部２３０は、手動モードまたはバッテリオフのとき、モータ電源制御部２２０からの駆動電圧を受け取らない。従って、モータ２４０の端子Ａ及びＢで純粋（ｐｕｒｅ）ＭＯＳオン抵抗である８Ωが発生する。このとき、モータ２４０の端子Ａ及びＢが短絡状態であるので、フォルダー動作の時発生する逆起電力はごく小さく、正常なフォルダーの開閉動作が行われる。一方、自動モードのとき、逆起電力防止部２３０は、ＣＰＵ２００からモータ駆動電源ＭＯＴＯＲ＿ＶＭを受け取って、チャンネル＃３及び＃４は、ピン＃１及び＃２を通じて流れる駆動バイアス電流によってオフ状態となり、モータ２４０の両方の端子Ａ及びＢは開放状態となる。そうすると、モータ２４０は、モータ駆動部２１０から印加されたモータ駆動信号によって決定された回転方向に回転する。自動モードから手動モードへの転換のとき、モータ電源制御部２２０は、モータ２４０からモータ駆動電源ＭＯＴＯＲ＿ＶＭを自動的に遮断させる。そこで、モータ２４０の両方の端子Ａ及びＢは、８Ωの抵抗でフォトＭＯＳリレーによって連結される。その結果、フォルダーは、逆起電力を発生させることなく動作することができる。
【００１７】
図５は、本発明の他の実施形態によるフォルダーの開閉装置の具体的な構成を示す回路図であり、逆起電力防止部２３０’をトランジスタＴＲ７及びＴＲ８によって具現した例である。図５を参照すると、逆起電力防止部２３０’は、モータ２４０の両端のそれぞれにトランジスタＴＲ７及びＴＲ８を連結する。まず、手動モードのとき、逆起電力防止部２３０’は、ＣＰＵ２００から各トランジスタをオン状態にする制御信号を受信して、モータ２４０の両端のそれぞれを接地端子に連結して短絡させる。これに対して、自動モードのとき、逆起電力防止部２３０’は、ＣＰＵ２００から制御信号を受信して各トランジスタＴＲ７及びＴＲ８をオフ状態とする。そうすると、モータ２４０は、逆起電力防止部２３０’に関係なく、モータ駆動部２１０から印加された駆動制御信号によって決定された回転方向に従ってフォルダーを開閉させる。
【００１８】
図６は、本発明の実施形態による自動及び手動兼用折り畳み型携帯用無線端末機で、自動モードのときメインボディーから／へサブボディーを正確に開閉させるための制御動作を示すフローチャートである。図２及び図６を参照すると、ステップ６１０で、ＣＰＵ２００は、自動開閉キー入力がキー入力部１８０から受信されたか否かを判断する。前記自動開閉キー入力が受信されると、ＣＰＵ２００は、ステップ６２０で、モータ２４０をオンさせる電源制御信号をモータ電源制御部２２０へ供給して整流器２２２をオン状態にする。そして、ステップ６３０で、ＣＰＵ２００は、内部タイマーを駆動させた後、ステップ６４０で、前記逆起電力防止部２３０とモータ２４０との連結を開放させるのに必要な所定の時間が経過したか否かを判断する。前記所定の時間が経過すると、ステップ６５０で、ＣＰＵ２００は、モータ駆動部２１０を制御してモータ２４０を駆動させる。
【００１９】
前述の如く、本発明の詳細な説明を、具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００２０】
【発明の効果】
以上、述べてきたように、本発明によると、自動及び手動兼用折り畳み型携帯用無線端末機の開閉装置でモータの逆起電力を遮断してフォルダー開閉のときの誤動作を防止することができる。
【図面の簡単な説明】
【図１Ａ】本発明が適用される携帯用無線端末機のサブボディーが閉じた状態を示す斜視図である。
【図１Ｂ】本発明が適用される携帯用無線端末機のサブボディーがメインボディー上で開放された状態を示す斜視図である。
【図２】本発明の実施形態による自動及び手動兼用折り畳み型携帯用無線端末機でフォルダーを開閉させる装置のブロック構成図である。
【図３】図２に示したフォルダーの開閉装置の具体的な構成を示す回路図である。
【図４】図３に示した逆起電力防止部の回路図である。
【図５】本発明の他の実施形態による自動及び手動兼用折り畳み型携帯用無線端末機でのフォルダーの開閉装置の詳細な回路図である。
【図６】本発明による自動及び手動兼用折り畳み型携帯用無線端末機での自動モードのときの正確なフォルダーの開閉のための制御動作を示すフローチャートである。
【符号の説明】
１０　フォルダーの開閉装置
１１０　メインボディー
１１１　上部ケーシングフレーム
１１２　下部ケーシングフレーム
１２０　サブボディー
１３０　アンテナ装置
１４０　イヤーピース部
１５０　ＬＣＤモジュール
１６０　キーパッド部
１７０　マイクロフォン
１８０　キー入力部
２００　ＣＰＵ
２１０　モータ駆動部
２２０　モータ電源制御部
２２１　バッテリ
２２２　整流器
２３０，２３０’　逆起電力防止部
２４０　モータ
【国際公開パンフレット】
2004510384.tif 000003
2004510384.tif 000004
2004510384.tif 000005
2004510384.tif 000006
2004510384.tif 000007
2004510384.tif 000008
2004510384.tif 000009
2004510384.tif 000010
2004510384.tif 000011
2004510384.tif 000012
2004510384.tif 000013
2004510384.tif 000014
2004510384.tif 000015
2004510384.tif 000016
2004510384.tif 000017
2004510384.tif 000018
【国際調査報告】
2004510384.tif 000019
2004510384.tif 000020